(57)【特許請求の範囲】
【請求項１】
パケット交換サービスのみを提供可能なベストエフォートキャリアまたは回路交換サービス及びパケット交換サービスの双方を提供可能な全サービスキャリアに選択的に同調するように構成されたターミナルを使って無線通信する方法であって、
前記ターミナルを前記ベストエフォートキャリアに同調させる工程と、
前記ターミナルを使って前記ベストエフォートキャリア上のパケットデータ通信を確立する工程と、
入来する回路交換通信をチェックするために限られた時間にわたって前記ターミナルを前記全サービスキャリアに周期的に同調させる工程と、
前記パケットデータ通信を前記ベストエフォートキャリアから前記全サービスキャリアに切り替えるよう、前記ターミナルからパケットハンドオーバーリクエストを送信する工程と、
前記ベストエフォートキャリアから前記全サービスキャリアに前記パケットデータ通信を引渡す工程と、
入来する回路交換通信を検出した場合、前記全サービスキャリア上の前記パケットデータ通信を維持しながら、前記全サービスキャリア上の回路交換通信を確立する工程と、
前記回路交換通信が終了した場合、前記ターミナルを前記ベストエフォートキャリアに再び同調させる工程と、
を含むことを特徴とする方法。
【請求項２】
前記パケットデータ通信を前記全サービスキャリアから前記ベストエフォートキャリアに切り替えるよう、前記ターミナルからパケットハンドオーバーリクエストを送信する工程と、
前記全サービスキャリアから前記ベストエフォートキャリアに前記パケットデータ通信を引渡す工程と、
を更に含むことを特徴とする請求項１に記載の方法。
【請求項３】
前記ターミナルがオプションとして前記回路交換通信を確立するよう構成されることを特徴とする請求項２に記載の方法。
【請求項４】
前記回路交換通信が、
音声通信と、
ＳＭＳ通信と、
放送情報通信と、
のうちの少なくとも１つを含むことを特徴とする請求項１に記載の方法。
【請求項５】
前記全サービスキャリアが１ｘＲＴＴキャリアを含むことを特徴とする請求項１に記載の方法。
【請求項６】
前記ベストエフォートキャリアがＨＤＲキャリアを含むことを特徴とする請求項１に記載の方法。
【請求項７】
パケット交換サービスのみを提供可能なベストエフォートキャリアまたは回路交換サービス及びパケット交換サービスの双方を提供可能な全サービスキャリアに選択的に同調するように構成されたターミナルを使って無線通信する方法であって、
前記ターミナルを前記ベストエフォートキャリアに同調させる工程と、
前記ターミナルを使って前記ベストエフォートキャリア上のパケットデータ通信を確立する工程と、
前記パケットデータ通信が進行中である間、前記ターミナルを前記全サービスキャリアに同調させる工程と、
前記パケットデータ通信を前記ベストエフォートキャリアから前記全サービスキャリアに切り替えるよう、前記ターミナルからパケットハンドオーバーリクエストを送信する工程と、
前記ベストエフォートキャリアから前記全サービスキャリアに前記パケットデータ通信を引渡す工程と、
前記全サービスキャリア上の前記パケットデータ通信を維持しながら、前記全サービスキャリア上の回路交換通信を確立する工程と、
を含むことを特徴とする方法。
【請求項８】
前記パケットデータ通信を完了させるために、前記回路交換通信を終了した場合、前記ターミナルを前記ベストエフォートキャリアに再び同調させる工程を更に含むことを特徴とする請求項７に記載の方法。
【請求項９】
前記回路交換通信が終了した場合、前記ターミナルを場合ベストエフォートキャリアに再び同調させる工程と、
前記パケットデータ通信を前記全サービスキャリアから前記ベストエフォートキャリアに切り替えるよう、前記ターミナルからパケットハンドオーバーリクエストを送信する工程と、
前記全サービスキャリアから前記ベストエフォートキャリアに前記パケットデータ通信を引渡す工程と、
を更に含むことを特徴とする請求項７に記載の方法。
【請求項１０】
前記回路交換通信が、
音声通信と、
ＳＭＳ通信と、
放送情報通信と、
のうちの少なくとも１つであることを特徴とする請求項７に記載の方法。
【請求項１１】
前記全サービスキャリアが１ｘＲＴＴキャリアを含むことを特徴とする請求項７に記載の方法。
【請求項１２】
前記ベストエフォートキャリアがＨＤＲキャリアを含むことを特徴とする請求項７に記載の方法。
【請求項１３】
パケット交換サービスのみを提供可能なベストエフォートキャリアまたは回路交換サービス及びパケット交換サービスの双方を提供可能な全サービスキャリアに選択的に同調するように構成されたターミナルを使って無線通信する方法であって、
前記ベストエフォートキャリアを周期的にスキャンする工程と、
受信機を前記全サービスキャリアに同調させる工程と、
前記受信機を前記全サービスキャリアに同調した後、前記全サービスキャリア上のパケットデータ通信を確立する工程と、
前記ターミナルが前記全サービスキャリアに同調した場合、前記ベストエフォートキャリアを周期的にスキャンする工程と、
前記ベストエフォートキャリアが利用できる場合、前記ターミナルを前記ベストエフォートキャリアに同調させる工程と、
前記ベストエフォートキャリア上の前記パケットデータ通信を確立する工程と、
を含むことを特徴とする方法。
【請求項１４】
前記ターミナルを前記ベストエフォートキャリアに同調させる前記工程の前に、前記全サービスキャリア上の前記パケットデータ通信が終了することを特徴とする請求項１３に記載の方法。
【請求項１５】
前記ベストエフォートキャリア上の前記パケットデータ通信を確立する前記工程が、
前記パケットデータ通信を前記全サービスキャリアから前記ベストエフォートキャリアに切り替えるよう、前記ターミナルからパケットハンドオーバーリクエストを送信する工程と、
前記全サービスキャリアから前記ベストエフォートキャリアに前記パケットデータ通信を引渡す工程と、
を含むことを特徴とする請求項１３に記載の方法。
【請求項１６】
前記全サービスキャリアが１ｘＲＴＴキャリアを含み、前記ベストエフォートキャリアがＨＤＲキャリアを含むことを特徴とする請求項１３に記載の方法。
【請求項１７】
パケット交換サービスのみを提供可能なベストエフォートキャリアまたは回路交換サービス及びパケット交換サービスの双方を提供可能な全サービスキャリアに選択的に同調するように構成されたトランシーバと、
前記ベストエフォートキャリア上でパケットデータ通信が行われている間、入来する回路交換通信をチェックするため前記トランシーバを前記全サービスキャリアに周期的に同調し、入来する回路交換通信が検出された場合、前記ターミナルを前記全サービスキャリアに同調させ前記全サービスキャリア上の回路交換通信を確立するように構成されたプロセッサと、
を備え、
前記プロセッサは、ベストエフォートキャリアが利用できない場合は、全サービスキャリアに同調しベストエフォートキャリアが利用できるようになるまでベストエフォートキャリアを周期的にスキャンし、ベストエフォートキャリアが利用できる場合は、ベストエフォートキャリアに同調するように更に構成されていることを特徴とする無線通信用のターミナル。
【請求項１８】
前記プロセッサが、前記ベストエフォートキャリア上でパケットデータ通信が行なわれている間、前記全サービスキャリアに同調し、前記全サービスキャリア上の回路交換通信を確立するように更に構成されていることを特徴とする請求項１７に記載のターミナル。
【請求項１９】
パケットデータ通信を前記ベストエフォートキャリアから前記全サービスキャリアに切り替えるよう、又は、パケットデータ通信を前記全サービスキャリアから前記ベストエフォートキャリアに切り替えるよう、前記プロセッサが、パケットハンドオーバーリクエストを開始するように更に構成されていることを特徴とする請求項１７に記載のターミナル。
【請求項２０】
前記回路交換通信が、
音声通信と、
ＳＭＳ通信と、
放送情報通信と、
のうちの少なくとも１つであることを特徴とする請求項１７に記載のターミナル。
【請求項２１】
前記全サービスキャリアが１ｘＲＴＴキャリアを含むことを特徴とする請求項１７に記載のターミナル。
【請求項２２】
前記ベストエフォートキャリアがＨＤＲキャリアを含むことを特徴とする請求項１７に記載のターミナル。
【請求項２３】
前記全サービスキャリアがリアルタイムサービスおよび非リアルタイムサービスをサポートし、前記ベストエフォートキャリアが非リアルタイムサービスのみをサポートすることを特徴とする請求項１７に記載のターミナル。
【請求項２４】
前記全サービスキャリアが回路交換サービスに対して最適化されており、前記ベストエフォートキャリアがベストエフォートパケットデータサービスに対して最適化されていることを特徴とする請求項２３に記載のターミナル。
【請求項２５】
前記ベストエフォートキャリア内の制御チャンネルとデータチャンネルとが時間多重化されていることを特徴とする請求項２４に記載のターミナル。
【請求項２６】
回路交換サービス及びパケット交換サービスの双方を提供可能に構成された全サービスキャリアと、
パケット交換サービスのみを提供可能に構成されたベストエフォートキャリアと、
前記ベストエフォートキャリア上でパケットデータ通信が行われている間、入来する回路交換通信をチェックするため前記全サービスキャリアに周期的に同調し、入来する回路交換通信が検出された場合、前記全サービスキャリアに同調させ前記全サービスキャリア上の回路交換通信を確立するように構成された複数のターミナルと、
を備え、
前記複数のターミナルの各々は、パケットデータ通信をベストエフォートキャリアから全サービスキャリアに切り替えるため、又は、パケットデータ通信を全サービスキャリアからベストエフォートキャリアに切り替えるため、パケットハンドオーバーリクエストを開始するように更に構成されていることを特徴とする無線通信のネットワーク。
【請求項２７】
各ハンドオーバーリクエストが、ハンドオーバーのターゲットである、全サービスキャリアまたはベストエフォートキャリアに関連するターゲットＢＳＣに関する情報を含むことを特徴とする請求項２６に記載のネットワーク。
【請求項２８】
前記全サービスキャリアがリアルタイムサービスおよび非リアルタイムサービスをサポートし、前記ベストエフォートキャリアが非リアルタイムサービスのみをサポートすることを特徴とする請求項２６に記載のネットワーク。
【請求項２９】
前記全サービスキャリアが回路交換サービスに対して最適化されており、前記ベストエフォートキャリアがベストエフォートパケットデータサービスに対して最適化されていることを特徴とする請求項２８に記載のネットワーク。
【請求項３０】
前記ベストエフォートキャリア内の制御チャンネルとデータチャンネルとが時間多重化されていることを特徴とする請求項２９に記載のネットワーク。
【請求項３１】
前記全サービスキャリアが１ｘＲＴＴキャリアであることを特徴とする請求項２６に記載のネットワーク。
【請求項３２】
前記ベストエフォートキャリアがＨＤＲキャリアであることを特徴とする請求項２６に記載のネットワーク。
【発明の詳細な説明】
【０００１】
（発明の分野）
本発明は無線通信システムに関し、より詳細には、無線通信システムにおいてデュアルモードの運用をするための方法および装置に関する。
【０００２】
（発明の背景）
第３世代（または３Ｇ）無線通信サービスは混乱状態にある世界的規模の移動電話マーケットを統一することが期待されている。この第３世代のシステムは現在利用できないシームレスな移動を分裂状態にある米国の移動電話サービスで可能にするものである。更に、この第３世代のシステムはビデオ、搭載ナビゲーションおよびインターネットアクセスを含む、種々の高速のブロードバンドデータ伝送および処理を可能にすることが期待されている。
【０００３】
第３世代のサービスをサポートするようになっている１つの無線標準として、ＩＴＵのＩＮＴ−２０００ビジョンにおいてＩＴＵによって定められたｃｄｍａ２０００（商標）がある。「１ｘＲＴＴ」（すなわち無線伝送技術）として知られるｃｄｍａ２０００標準化に向けた作業のフェーズ１は、既に完了しており、通信工業協会（ＴＩＡ）によって発表されている。１ｘＲＴＴはｃｄｍａＯｎｅ−１.２５ＭＨｚキャリアに対する現在のスペクトル割り当てにおけるｃｄｍａ２０００の実現に関係するものである。この技術用語はＮ＝１（すなわちｃｄｍａＯｎｅと同じ１.２５ＭＨｚキャリアを使用すること）に由来するものであり、「１ｘ」とはワンタイムの１.２５ＭＨｚを意味する。１ｘＲＴＴはｃｄｍａＯＮＥネットワークとバックワードにコンパーチブルであるが、データレートを２倍の音声容量１４４ｋｂｐｓにし、全体の質を改善する。
【０００４】
高データレート（ＨＤＲ）技術も１.２５ＭＨｚチャンネルを使用している。このＨＤＲはｃｄｍａＯｎｅおよび１ｘＲＴＴシステムとＲＦコンパーチブルであり、現在のｃｄｍａタワーに送信機とアンテナとを並置した状態に配備できるようにしている。回路交換サービスを行うよう最適にされた１ｘＲＴＴと異なり、ＨＤＲはベストエフォートのパケットデータ転送を行うようスペクトル上で最適にされたものである。ＨＤＲは毎秒１.８メガビットよりも速いピークデータレートで、極めて高速のＣＤＭＡ無線インターネットアクセスを行う。特に、１ｘＲＴＴと異なり、ＨＤＲキャリアにおける制御およびデータチャンネルは時間多重化される。
【０００５】
高速インターネットアクセスを行うには、１ｘＲＴＴキャリアではなく、ＨＤＲキャリア上でデータ通信を行うことが望ましい。それにも拘わらず、ＨＤＲはパケットに基づくものであるので、リアルタイムのアプリケーションに極めて良好には適応できるとは言えない。従って、音声通信をしたいＨＤＲキャリアのユーザーは１ｘＲＴＴのようなキャリアを使用しなければならなくなる。１９９９年１２月２８日に出願された米国特許出願第09/474,056号は１ｘＲＴＴキャリアとＨＤＲキャリアとの双方をサポートするハイブリッドなネットワークを開示している。このハイブリッドネットワークは状況が決定するように、１ｘＲＴＴキャリアまたはＨＤＲキャリアのいずれかで通信をコーディネートするものである。しかしながらかかるハイブリッドネットワークは、このコーディネートをサポートするのに１ｘＲＴＴプロトコルとＨＤＲプロトコルの必要な切り換えを行わなければならない。
【０００６】
（発明の概要）
本発明の第１の特徴によれば、本方法および装置は全サービスキャリアがリアルタイムのサービスおよび非リアルタイムのサービスをサポートし、ベストエフォートキャリアが非リアルタイムのサービスしかサポートしないようになっている、全サービスキャリアおよびベストエフォートキャリアを有する重なったカバーエリア内で、ターミナルにて通信を切り換えできるようになっている。一実施例では、全サービスキャリアは１ｘＲＴＴキャリアであり、ベストエフォートキャリアはＨＤＲキャリアである。特に１ｘＲＴＴおよびＨＤＲの双方のために常に２つのキャリアがあり、キャリアの一方は順方向リンク用であり、一方は逆方向リンク用である。本明細書で使用する「キャリア」とは、順方向リンクキャリアと逆方向リンクキャリアとの双方を総称するものとする。別の実施例では、全サービスキャリアはＣＤＭＡ回路交換キャリアでよいし、ベストエフォートキャリアはＴＤＭＡパケット交換キャリアでよい。
【０００７】
好ましい実施例では、ターミナルはアイドル状態のときにＨＤＲキャリアに同調する。このターミナルは波長通信を介して送られる情報のようなページ、ＳＭＳおよびその他の情報のために１ｘＲＴＴキャリアを周期的にスキャンする。このスキャンによって１ｘＲＴＴキャリア上で着信通信信号が検出されると、ターミナルが１ｘＲＴＴキャリアに同調し、着信通信信号を受信できるように、現在のＨＤＲパケットデータ通信は終了される。カバーエリアがＨＤＲキャリアをサポートしていない場合、ターミナルは１ｘＲＴＴキャリアに同調し、ＨＤＲキャリアを探すように周期的にスキャンする。
【０００８】
別の好ましい実施例では、ターミナルにはＨＤＲキャリアまたは１ｘＲＴＴキャリアに同調できるトランシーバと、ターミナルが関与していた通信タイプに基づき、トランシーバを同調させることができるプロセッサとが設けられている。従って、プロセッサはトランシーバが非リアルタイムパケットデータ通信を行うためにＨＤＲキャリアにトランシーバを同調させ、音声通信またはパケットデータ通信を行うために１ｘＲＴＴキャリアに同調させる。
【０００９】
本発明の別の特徴によれば、無線通信ネットワークは非リアルタイムパケットデータ通信のためのＨＤＲキャリアと、１ｘＲＴＴ通信またはパケットデータ通信のための１ｘＲＴＴキャリアと、複数のターミナルとを含む。各ターミナルにはＨＤＲキャリアまたは１ｘＲＴＴキャリアに同調できるトランシーバと、上記ターミナルのようにターミナルが関与していた通信タイプに基づき、トランシーバを同調させることができるプロセッサが設けられている。
【００１０】
添付図面には限定のためではなく、例として本発明の好ましい実施例が示されており、これら図では同様な参照番号は同様な部品を示す。
【００１１】
（好ましい実施例の詳細な説明）
図１はこの実施例の１ｘＲＴＴネットワークにおける全サービスキャリアおよびこの実施例のＨＤＲネットワークにおけるベストエフォートキャリアの双方によってサポートされているカバーエリア１００を示す。無線トランシーバまたはハンドセット１１５を有するラップトップコンピュータ１１０のようなターミナルを使っているユーザーは、このターミナルがデュアルモード運用できるように構成されている限り、ＨＤＲキャリア１２０または１ｘＲＴＴキャリア１２０のいずれかを通して通信できる。１ｘＲＴＴキャリア１２５は音声、パケットデータまたはその他のマルチサービス、例えばショートメッセージサービス（ＳＭＳ）または放送情報サービスを含むことができる１ｘＲＴＴ通信信号を搬送する。ＨＤＲキャリア１２０は非リアルタイムパケットデータの伝送のためにしか使用されないキャリアである。ＨＤＲ基地局コントローラ１３５の制御下にあるＨＤＲ送信機１３０は、ＨＤＲキャリア１２０を送信する。ＨＤＲ基地局のコントローラ１３５はパケットデータコアネットワーク１５５に送られる。インターネット１５０からのパケットデータはパケットデータコアネットワーク１５５を通してＨＤＲ基地局のコントローラ１３５、最終的にはターミナル１１０および１１５に送られる。
【００１２】
音声通信信号は、１ｘＲＴＴ基地局のコントローラ１３６の制御下にある１ｘＲＴＴ送信機１３１により送信される１ｘＲＴＴキャリア１２５によってしか搬送できない。移動交換センター１４０は公衆交換電話ネットワーク（ＰＳＴＮ）１４５と１ｘＲＴＴ基地局コントローラ１３６とを接続する。インターネット１５０からのパケットデータはＩＳＰサーバー１６０を通して移動交換センター１４０に送られる。これとは異なり、パケットデータはパケットデータコア１５５を通してＢＳＣ１３６に直接送ることができる。
【００１３】
上記引用した米国特許出願第09/474,056号に開示されているハイブリッドネットワークと異なり、１ｘＲＴＴキャリアとＨＤＲキャリアとは別個のものであり、独立したものである。本発明は、ネットワークにこれらキャリアの間のコーディネートをさせる代わりに、所定のキャリアで通信信号を受信するかどうかを管理するよう、ターミナルが供給するインテリジェンスを使用する。従って、本発明は米国特許出願第09/474,056号に開示されている「ネットワーク中心」方法と対照的に、「ターミナル中心」方法と述べることができる。
【００１４】
この目的に対し、本発明は２つの主な実施例を有する。すなわちＨＤＲキャリアと１ｘＲＴＴキャリアとの間でパケットデータ通信信号を切り替えない実施例と、標準１ｘＲＴＴパケットデータハンドオーバー手順を使用して、ＨＤＲキャリアと１ｘＲＴＴキャリとの間でパケットデータ通信信号を切り替える実施例を有する。キャリア信号を獲得する方法は通常、ターミナルを正しい周波数に同調させる工程と、ターミナルのタイミングを正しいネットワークタイミングに同期化する工程と、ネットワークに登録する工程とを含む。このプロセスは当技術分野では周知であるが、本発明はキャリアを獲得する特定の方法には依存しない。従って、次の説明ではキャリアを取得するプロセスをターミナルをキャリアに同調させる方法と単に称す。次に、第１実施例について更に説明する。
【００１５】
パケットデータのハンドオーバーを行わない実施例
この実施例ではデフォルトキャリアが利用できない場合、ターミナルはデフォルトキャリアとしてＨＤＲキャリアに同調する。図２にサンプル通信フロー手順が示されている。ここでターミナルはこのチャンネルに「キャンプオン」し、これをモニタするよう、ＨＤＲキャリア１２０が利用できる。次にユーザーは、ステップ２００でＨＤＲキャリア１２０を通して１回以上の非リアルタイムパケットデータ通信を開始する。ステップ２０５および２１０に示されるように、ターミナルは周期的にＨＤＲパケットデータ通信をオンホールド状態にし、１ｘＲＴＴキャリアを通してターミナルに向けられた着信１ｘＲＴＴ通信信号を探すよう、１ｘＲＴＴキャリアに同調する。ステップ２０５では１ｘＲＴＴキャリアでの音声通信信号が検出されなかったので、ターミナルはＨＤＲキャリアに復帰し、非リアルタイムパケットデータ通信を再開する。しかしながら、ステップ２１０にてターミナルは１ｘＲＴＴキャリア上の着信１ｘＲＴＴ通信信号を検出する。従って、ターミナルは自動的にＨＤＲパケットデータ通信を中断し、アクティブな１ｘＲＴＴ通信を設定する。ステップ２１５にて１ｘＲＴＴ通信が終了すると、ターミナルはＨＤＲパケットデータ通信を再設定するためにＨＤＲキャリアに同調する。別の実施例では、ステップ２１０にて、ターミナルは着信１ｘＲＴＴ通信信号を受け入れるか否かをユーザーに問い合わせてもよい。かかるケースでは、ユーザーから肯定的な応答があった場合にしか、アクティブな１ｘＲＴＴ通信の設定に進まない。そうでない場合、ターミナルはＨＤＲキャリアに戻り、ＨＤＲパケットデータ通信も再設定する。例えば着信した１ｘＲＴＴ通信信号が音声通信信号である場合、ターミナルは１ｘＲＴＴキャリアに同調し、音声通信を設定する。この音声通信が一旦終了すると、ターミナルはターミナルが先に関与していたＨＤＲパケットデータ通信を再設定するよう、ＨＤＲキャリアに同調する。
【００１６】
ターミナルのユーザーが１ｘＲＴＴ通信、例えば音声通信を開始すると、１ｘＲＴＴキャリアで通信を実行しなければならない。図２でこのことを示すことができる。従って、ユーザーが音声通信を開始した時に、非リアルパケットデータ通信がＨＤＲキャリア上で進行中である場合（ステップ２００）、ターミナルを１ｘＲＴＴキャリアに同調しながら非リアルパケットデータ通信をオンホールド状態にしなければならない（ステップ２１０）。次に１ｘＲＴＴキャリアで音声通信を開始する。この音声通信の終了時に、ターミナルはＨＤＲキャリアに同調し、非リアルタイムパケットデータ通信を再設定する（ステップ２１５）。
【００１７】
上記シナリオはＨＤＲ送信機と１ｘＲＴＴ送信機との双方のフットプリント、すなわちカバーエリア内にターミナルが存在しなければならないことに留意されたい。図３はＨＤＲキャリアが利用できない場合の通信フローのシナリオを示す。デフォルドモードはＨＤＲキャリアにキャンプオンすべきであるので、ターミナルはステップ２２０および２３０にてＨＤＲキャリアを利用できるかどうかを周期的にスキャンする。ステップ２２０では、ＨＤＲキャリアを利用できないので、ターミナルは再び１ｘＲＴＴキャリアに同調しなければならない。しかしながら、ステップ２３０でＨＤＲのカバーエリア内に移動していたターミナルはＨＤＲキャリアを検出し、これに同調する。ステップ２３０の前で１ｘＲＴＴパケットデータ通信が再設定されている場合、ターミナルがＨＤＲキャリアにキャンプオンできる前に、この１ｘＲＴＴパケットデータ通信を終了しなければならない。ステップ２３０の後に、ターミナルはＨＤＲキャリア上のパケットデータ通信を再設定できる。
【００１８】
１ｘＲＴＴパケットデータのハンドオーバーの実施例
この実施例は、ＨＤＲキャリアと１ｘＲＴＴキャリアとの間のパケットデータ通信信号の連続性を維持するために、基本的な１ｘＲＴＴパケットデータハンドオーバー手順を使用している点が、これまで述べた実施例と異なっている。図４はＨＤＲキャリアから１ｘＲＴＴキャリアへの切り替えをするための通信フローを示している。ステップ２５０にて、ターミナルはＨＤＲパケットデータ通信を設定する。ステップ２６０にて、ターミナルは１ｘＲＴＴ通信を設定するために１ｘＲＴＴキャリアに同調する。この１ｘＲＴＴキャリアへ同調する動機は、図２を参照して説明したような周期的なスキャンから生じる場合もあれば、ユーザーが音声通信をしたいと望んだことから生じたりする場合もある。アクティブなＨＤＲパケットデータ通信が進行している間に、ターミナルが１ｘＲＴＴキャリアに同調されるので、ターミナルはステップ２６０より前にネットワークにハンドオーバーリクエストを送る。ターミナルは１ｘＲＴＴネットワークに同調するにつれ、パケットデータ通信を１ｘＲＴＴキャリアに転送するために標準的な１ｘＲＴＴパケットハンドオーバー手順に従う。従って、ステップ２７０では、１ｘＲＴＴキャリアにはアクティブな１ｘＲＴＴ通信信号とアクティブなデータ通信信号が存在する。ステップ２８０にて、１ｘＲＴＴ通信が終了すると、ターミナルターゲットＨＤＲパケットデータ基地局コントローラに関する情報と共に、ネットワークへ１ｘＲＴＴハンドオーバーリクエストを再び送る。
【００１９】
図３を参照して説明したように、ターミナルがＨＤＲキャリアをサポートしていないエリア内にあることがある。このターミナルは１ｘＲＴＴキャリアにキャンプオンしながら、ＨＤＲキャリアが存在するかどうかを判断するために周期的にスキャンする。ＨＤＲキャリアが検出された時にターミナルが進行中のアクティブな１ｘＲＴＴパケットデータ通信信号を有している場合、このターミナルは図４を参照して説明したように、ネットワークに１ｘＲＴＴハンドオーバーリクエストを送る。このリクエストはターゲット基地局コントローラに関する情報を含んでいなければならない。更に、ＨＤＲ基地局コントローラと１ｘＲＴＴ基地局コントローラとの間でポイント−ツー−ポイントプロトコル（ＰＰＰ）ステート情報が転送される。ネットワークからハンドオーバーリクエストのアクノーリッジメントを受信すると、ターミナルはＨＤＲキャリアに同調し、パケットデータ通信が非リアルタイムパケットデータ通信として再開される。
【００２０】
図５は、本発明の一実施例に係わるターミナルのためのアーキテクチャの一例を示す。ターミナル５００は無線周波数（ＲＦ）キャリア信号を受信するためのアンテナ５０２を含む。例えばアンテナ５０２は１ｘＲＴＴキャリア１２５の信号とＨＤＲキャリア１２０の信号とを受信できる。アンテナ５０２はネットワークに伝送すべきデータによりコード化されたＲＦ信号を送信するようにも構成されている。アンテナ５０２にはデュプレクサ５０４が結合され、このデュプレクサはターミナル５００内で受信パスと送信パスのいずれかをとるようにアンテナを切り換える。
【００２１】
受信パスは低ノイズ増幅器（ＬＮＡ）５０６を含み、この増幅器は受信したＲＦキャリア信号を更に処理できるよう、適当なレベルに増幅する。こうして増幅された信号は、復調回路５１０へ送られる。代表的な受信パスでは、復調回路５１０は２つのステージから成る。第１ステージにおいてＲＦミキサー５１２は受信したＲＦ信号とＲＦ局部発振器（ＲＦＬＯ）５２２信号とを混合することによって、受信したＲＦ信号を中間周波数（ＩＦ）信号にダウンコンバートする。第２ステージでは、ＩＦ信号はＩＦＬＯ５２４と混合され、ＩＦ信号はベースバンド信号にステップダウンされる。次に、このベースバンド信号はプロセッサ５２６に送られ、このプロセッサ５２６はベースバンド信号内に含まれるデータをデコードする。このプロセッサ５２６は包括的にベースバンドプロセッサと称されている。
【００２２】
逆に送信パスでは、ネットワークへ伝送すべきデータがプロセッサ５２６によりベースバンド信号上でコード化され、変調回路５２０へ送られる。この変調回路５２０はベースバンド信号とＩＦＬＯ５２４とをミキサー５１８内で混合することによって、ベースバンド信号をＩＦ信号までステップアップする。このＩＦ信号は次に、ミキサー５１６内でＲＦＬＯ５２２と混合されることにより、ＲＦ信号にアップコンバートされる。次に、このＲＦ信号はアンテナ５０２によって送信されるＲＦ信号の電力が充分大きさとなるように、電力増幅器（ＰＡ）５０８によって増幅される。
【００２３】
送信パスにおいて、正しいＲＦキャリア信号を発生するには、ＲＦＬＯ５２２に同調しなければならない。例えばターミナル５００が非リアルタイムのパケットデータを伝送中である場合、ＲＦＬＯ５２２は適当なＨＤＲキャリア信号を有するＲＦ信号を発生するように同調しなければならない。他方、ターミナル５００は音声通信に関与している場合、適当な１ｘＲＴＴキャリア信号を有するＲＦ信号を発生するように、ＲＦＬＯに同調しなければならない。
【００２４】
図５は、代表的な実施例においてプロセッサがＲＦＬＯ５２２の同調を制御することを示している。必要な場合、プロセッサ５２６はＩＦＬＯ５２４も同調させる。しかしながら、ＩＦＬＯ５２４はＲＦＬＯ５２２に同調した状態で同じ周波数のままでもよい。実際に、当業者であれば、ターミナル５００の実施例はＩＦＬＯ５２４またはミキサー５１４および５１８を含まなくてもよいことが理解できよう。この場合、ＲＦミキサー５１２は受信したＲＦキャリアを直接ベースバンドに変換し、ＲＦミキサー５１６はプロセッサ５２６から送られたベースバンド信号を直接ＲＦ信号に変換する。このタイプのアーキテクチャをダイレクトコンバージョンアーキテクチャと称す。
【００２５】
特定のアーキテクチャにも係わらず、ワンユニットと称されるトランシーバには、一般に送信パスと受信パスが含まれる。従って、代表的な実施例では、プロセッサ５２６は図２、３および４のプロセスを実行するように、トランシーバを適当なキャリアに同調させる役割を果たす。
【００２６】
本発明の多くの特徴は、種々の変形または別の形態をとることができるが、図面には、例としてこれら特定の変形例および別の形態が示されており、明細書にはこれらについて詳細に述べられている。しかしながら、本発明は、開示した特定の形態または方法に限定されるものではなく、逆に本発明は特許請求の範囲に入るすべての変形例、均等物および代替物をカバーするものである。
【図面の簡単な説明】
【図１】  カバーエリアがオーバーラップした１ｘＲＴＴネットワークとＨＤＲネットワークの双方のブロック図である。
【図２】  本発明の一実施例に係わる通信フロー図である。
【図３】  本発明の一実施例に係わる通信フロー図である。
【図４】  本発明の一実施例に係わる通信フロー図である。
【図５】  本発明の一実施例に従い、デュアルモードの運用が可能なターミナルを示すブロック図である。
【図１】
0004988117.tif 000002
【図２】
0004988117.tif 000003
【図３】
0004988117.tif 000004
【図４】
0004988117.tif 000005
【図５】
0004988117.tif 000006